(57)【特許請求の範囲】
【請求項１】
ユニット本体の下部に吸い込みグリルを有する化粧パネルと、前記化粧パネルに設けられ正逆回転駆動される回転ドラムと、一端が前記回転ドラムに巻着され他端が前記化粧パネルに固定されて前記吸い込みグリルを昇降自在に支持する吊りワイヤと、前記吸い込みグリルに装着及び取り外し可能に設けられ前記吊りワイヤが通されるガイドとを備えた送風装置において、
前記吸い込みグリルは前記吊りワイヤを囲む落下防止部材を備え、
前記吸い込みグリルが前記ガイドを介した前記吊りワイヤの支持から外れた場合に、前記吸い込みグリルは前記落下防止部材を介して前記吊りワイヤに支持され、
前記落下防止部材はワイヤで形成されると共に前記吸い込みグリルから突出した部材を貫通し又は固定され、前記ワイヤの一端が他端と着脱可能に接続されることを特徴とする送風装置。
【請求項２】
ユニット本体の下部に吸い込みグリルを有する化粧パネルと、前記化粧パネルに設けられ正逆回転駆動される回転ドラムと、一端が前記回転ドラムに巻着され他端が前記化粧パネルに固定されて前記吸い込みグリルを昇降自在に支持する吊りワイヤと、前記吸い込みグリルに装着及び取り外し可能に設けられ前記吊りワイヤが通されるガイドとを備えた送風装置において、
前記吸い込みグリルは前記吊りワイヤを囲む落下防止部材を備え、
前記吸い込みグリルが前記ガイドを介した前記吊りワイヤの支持から外れた場合に、前記吸い込みグリルは前記落下防止部材を介して前記吊りワイヤに支持され、
前記落下防止部材はワイヤで形成されると共に前記吸い込みグリルに固定され、前記ワイヤの一端が他端と着脱可能に接続されることを特徴とする送風装置。
【請求項３】
請求項１又は２において、前記落下防止部材が前記吸い込みグリルの四隅の各々に設けられることを特徴とする送風装置。
【請求項４】
請求項１乃至３の何れかに記載の送風装置と、前記ユニット本体内であって前記化粧パネルの空気下流側に設けられた送風機と、この送風機から吹出した空気が流入する熱交換器とを備えることを特徴とする空気調和機。
【発明の詳細な説明】
【技術分野】
【０００１】
本発明は、天井に設けられる送風装置および空気調和機に関する。
【背景技術】
【０００２】
従来、ユニット本体の下部に化粧パネルを装着する天井埋込型空気調和機において、回転ドラムを設け、この回転ドラムに一端が巻着された吊りワイヤの他端を吸い込みグリルに連結して吸い込みグリルを昇降自在に支持し、モータの駆動により吸い込みグリルを昇降させ、吸い込みグリルの取り付けおよび取り外しを容易にするものがある（例えば特許文献１）。
【先行技術文献】
【特許文献】
【０００３】
【特許文献１】特許第３０３４８２５号公報
【発明の概要】
【発明が解決しようとする課題】
【０００４】
しかし、上記特許文献のものは、例えば誤った操作や地震などによりガイドに想定外の外力が加わることで、吊りワイヤがガイドの溝から脱落して、ガイドがガイド支持部と支持されている隙間から吊りワイヤが外れるおそれがある。また、ガイド支持部を吸い込みグリルから取り外し可能としているので、吊りワイヤがガイド支持部ごと吸い込みグリルから外れるおそれがある。
【０００５】
本発明の目的は、吸い込みグリルの落下を防止することにある。
【課題を解決するための手段】
【０００６】
上記課題を解決するために、本発明は、ユニット本体の下部に吸い込みグリルを有する化粧パネルと、前記化粧パネルに設けられ正逆回転駆動される回転ドラムと、一端が前記回転ドラムに巻着され他端が前記化粧パネルに固定されて前記吸い込みグリルを昇降自在に支持する吊りワイヤと、前記吸い込みグリルに装着及び取り外し可能に設けられ前記吊りワイヤが通されるガイドとを備えた送風装置において、前記吸い込みグリルは前記吊りワイヤを囲む落下防止部材を備え、前記吸い込みグリルが前記吊りワイヤの支持から外れた場合に、前記吸い込みグリルは前記落下防止部材を介して前記吊りワイヤに支持されることを特徴とする。
【発明の効果】
【０００７】
本発明によれば、吸い込みグリルの落下を防止できる。
【図面の簡単な説明】
【０００８】
【図１】本発明の実施例に係る吸い込みグリルが下降した状態を示す側断面図。
【図２】本発明の実施例に係る吸い込みグリルの昇降機構の吊りワイヤが２本の場合の主要部を示す斜視図。
【図３】本発明の実施例に係る吸い込みグリルの昇降機構の主要部を示す側面図。
【図４】本発明の実施例に係る吸い込みグリルの昇降機構の吊りワイヤが１本の場合の主要部を示す斜視図。
【図５】本発明の実施例に係るガイド周辺の部分断面図。
【図６】本発明の実施例に係るガイド周辺の部分上面図。
【図７】従来の実施形態のガイド部１箇所が外れた場合の斜視図。
【図８】従来の実施形態のガイド部２箇所が外れた場合の斜視図。
【図９】本発明の実施例に係る吸い込みグリル落下防止構造の部分斜視図。
【図１０】本発明の実施例に係るガイド支持部１箇所が外れた場合の吸い込みグリル落下防止構造の斜視図。
【図１１】本発明の実施例に係るガイド支持部が外れた場合の部分断面図。
【図１２】本発明の他の実施例に係るガイド支持部が外れた場合の部分断面図。
【発明を実施するための形態】
【０００９】
以下本発明の実施例を図面に基づき説明する。
【実施例１】
【００１０】
図１は、実施例による吸い込みグリルが下降した状態を示す側断面図、図２は、同じく吸い込みグリルの昇降機構の主要部を示す斜視図、図３は、同じく側断面図、図４は、図２の吊りワイヤを１本にした斜視図、図５は、実施例によるガイド周辺の部分断面図、図６は、同じくガイド周辺の部分上面図、図７は、従来形態のガイド部１箇所が外れた場合の斜視図、図８は、同じくガイド部２箇所が外れた場合の斜視図、図９は、実施例による吸い込みグリル落下防止構造の部分斜視図、図１０は、同じくガイド部が外れた場合の斜視図、図１１は、同じくガイド支持部が外れた場合部分断面図である。
【００１１】
以下、空気調和機を例にして説明する。図１において、２は空気調和機の室内ユニットであるユニット本体を示し、室内の天井１の裏に埋設される。ユニット本体２の内部には、熱交換器３，ドレンパン４，送風機５，ファンモータ６が配置され、その下部には開口部を覆うように化粧パネル７が着脱自在に装着されている。
【００１２】
化粧パネル７の中央部には吸い込み口８が形成され、吸い込み口８の両側２方向あるいは周辺４方向には吹き出し口９が設けられている。吸い込み口８には吸い込みグリル１０が嵌合され（吸い込みグリルが上昇している状態。図１は吸い込みグリルが下降している状態を示す）、その上部にはフィルタ１１が吸い込みグリル１０に着脱自在となるように装着されている。
【００１３】
つぎに、吸い込みグリルの昇降機構について説明する。図２，図３において、吸い込みグリル１０の４角隅部にはそれぞれガイド２０が取り付けられている。２本の吊りワイヤ１３は、それぞれの一端がガイド２０を介してモータ２１で駆動される回転ドラム１２に巻着され、他端が化粧パネル７に固定され、吸い込みグリル１０を昇降自在に支持している。ガイド２０は図のように回転するローラでなくてもよい。
【００１４】
各回転ドラム１２は図示しない制御部にて駆動制御される可逆回転可能なモータ２１により駆動され、この駆動により吊りワイヤ１３が回転ドラム１２から巻き出されたり、巻き取られたりして吸い込みグリル１０が昇降される。通常は、吸い込みグリル１０は化粧パネル７に収納される。
【００１５】
フィルタ１１および吸い込みグリル１０を洗浄する場合、吸い込みグリル１０が化粧パネル７に収納されているときモータ２１を駆動する。そして、２台のモータ２１を逆回転することにより各回転ドラム１２からそれぞれ吊りワイヤ１３が巻き出され繰り出されることになるので、吸い込みグリル１０は下降し、吊り下げられる。
【００１６】
吸い込みグリル１０が所定の位置まで降りてきたとき、リモコン（図示せず）等を操作してモータ２１の駆動を停止させる。吸い込みグリル１０が下降した後は、フィルタ１１を取り外して清掃あるいは洗浄することができる。
【００１７】
フィルタ１１の洗浄後、フィルタ１１を再び吸い込みグリル１０に設置し、再度リモコン等を操作してモータ２１を駆動させれば、回転ドラム１２に吊りワイヤ１３が巻き取られ、吸い込みグリル１０は上昇する。なお、化粧パネル７にマイクロスイッチ２３等の検出器を取り付けてあるので、吸い込みグリル１０が化粧パネル７の吸い込み口８に収納されたときモータ２１の駆動を自動停止することができる。
【００１８】
図４は、図２のモータ２１を１つの使用とした場合でありこの場合吊りワイヤ１３は１本とできる。
【００１９】
つぎに、吸い込みグリル１０の取り外し構造の実施の形態を図５，図６を参照して説明する。吸い込みグリル１０上に突出したブリッジ状の台座３１は、図示の如く上下各々に段差のついた開口部１０１，１０２を有し、吸い込みグリル１０を取り付ける場合には、まずガイド２０を支持するガイド支持部２２を、通常状態から水平に９０度回転させた状態で開口部１０１より挿入する。開口部１０１より挿入されたガイド支持部２２は、吊りワイヤ１３の張力によって水平にほぼ９０度だけ逆回転し、吸い込みグリル１０の自重により開口部１０２へ装着される。これにより、ガイド支持部２２は吸い込みグリル１０で支持されることとなる。吸い込みグリル１０を取り外す場合には、開口部１０２に収納されたガイド支持部２２を水平に９０度回転させ、開口部１０１からガイド支持部２２を取り外す。
【００２０】
台座３１は吸い込みグリル１０と固定され、外れないようになっている。図のように正常な状態では、ガイド２０間に張っている吊りワイヤ１３と台座３１との間には所定のギャップ３２ａが存在する。吸い込みグリル１０の各々の角部で、ガイド２０やガイド支持部２２や台座３１を同じ部材とすれば、どの角部でもほぼ同じギャップ３２ａとなる。このギャップ３２ａは、吸い込みグリル１０の昇降時にあまり変わらないことが望ましい。
【００２１】
また、台座３１をくぐり、吊りワイヤ１３をまたぐように、台座３１と吊りワイヤ１３とを一周囲む落下防止ワイヤ（落下防止部材）３０を備える。落下防止ワイヤ３０は吸い込みグリル１０の昇降時に吊りワイヤ１３と摩擦を生じないように、余裕をもたせて台座３１と吊りワイヤ１３とを囲んでいる。
【００２２】
落下防止ワイヤ３０は着脱部３３で着脱可能となっているので、ガイド支持部２２を台座３１から取り外すと共に環状の落下防止ワイヤ３０を着脱部３３で開放することで、吸い込みグリル１０を取り外してメンテナンス等ができる。
【００２３】
図７，図８を参照して、吊りワイヤ１３が吸い込みグリル１０より外れた場合を説明する。吊りワイヤ１３が外れて吸い込みグリル１０を支持できなくなる場合とは、まず、吊りワイヤ１３がガイド２０の溝から脱落して、ガイド２０がガイド支持部２２と支持されている隙間から吊りワイヤ１３が外れる場合がある。ガイド２０は回転する必要があるため、ガイド２０の回転軸がガイド支持部２２に嵌め合わさっているだけであり、ガイド２０とガイド支持部２２は接着や溶着のような固定がされているものではない。そのため、吸い込みグリル１０が傾いて昇降したり、ガイド２０に大きな外力がかかったりすると、ガイド２０がガイド支持部２２から外れて吊りワイヤ１３も外れることがある。
【００２４】
また、ガイド支持部２２は取り外しできるようになっているため、ガイド支持部２２ごと外れる場合がある。以上のように、吸い込みグリル１０の昇降と取り外しを可能としたために、吊りワイヤ１３が外れて吸い込みグリル１０を支持できなくなる場合がある。
【００２５】
図７は、２本の吊りワイヤ１３のうち１本の吊りワイヤ１３が１箇所のガイド２０ｃから外れた場合を示す。正常な吊りワイヤ１３の方は、両端の２点が回転ドラム１２（図示なし）と化粧パネル７（図示なし）で固定され、途中の２点がガイド２０ａ，２０ｂで摺動支持され、合計４点で支持される。１箇所のガイド２０ｃから外れた吊りワイヤ１３の方は、両端が固定されているのは正常な吊りワイヤ１３と同様だが、途中をガイド２０ｄだけで摺動支持するため、合計３点で支持している。２つの回転ドラム１２は同じ長さの吊りワイヤ１３を繰り出しているため、吊りワイヤ１３が３点支持されている側の吸い込みグリル１０の位置が低くなる。外れてしまったガイド２０ｃの部分の吸い込みグリル１０は全く支持されていないので、更に位置が低くなる。図８は更にガイド２０ｄからも吊りワイヤ１３が外れた状態を示す。
【００２６】
４箇所全てのガイド２０またはガイド支持部２２が外れなければ、吸い込みグリル１０は落下に至らないが、１箇所が外れることによって他ガイド２０またはガイド支持部２２に衝撃がかかり、これらから吊りワイヤ１３が外れ易くなる原因となる。衝撃が小さかったとしても、吸い込みグリル１０が傾くことが同様の外れを誘発させる原因となる。
【００２７】
図４のように１本の吊りワイヤ１３で吸い込みグリル１０を昇降させる場合においても、例えばガイド２０ｃから吊りワイヤ１３が外れたとすると、ガイド２０ａ，２０ｂ，２０ｄ全ての高さが変動して吸い込みグリル１０が傾く。つまり、吸い込みグリル１０の支持箇所の数（本実施例では４箇所）よりも少ない数の吊りワイヤ１３（本実施例では１本又は２本）を用いる場合には、吊りワイヤ１３が外れた場合の上記の問題が生じ得る。
【００２８】
図５，図９を参照して落下防止構造を説明する。吸い込みグリル１０は、ガイド支持部２２に嵌め込まれたガイド２０に吊りワイヤ１３を通して吊り下げられている。落下防止ワイヤ３０は、図示の如く吊りワイヤ１３を囲むと共に吸い込みグリル１０から突出したブリッジ状の部材にくぐらせて取り付けられ、吸い込みグリル１０と吊りワイヤ１３とを支持している。
【００２９】
本実施例ではブリッジ状の部材をガイド支持部２２の設置される台座としており、紐状の落下防止ワイヤ３０を取り付けているが、これに限らない。台座３１をくぐらせるのではなく、落下防止ワイヤ３０を台座３１に固定してしまってもよいし、台座３１でなくても吸い込みグリル１０と固定され一体となった他の部材に落下防止ワイヤ３０を貫通させて取り付けてもよい。正常な状態では、吸い込みグリル１０（ガイド２０または取り外しが可能なガイド支持部２２）は吊りワイヤ１３に支持されているが、これとは別に、吊りワイヤ１３がガイド２０から外れたり、ガイド支持部２２自体が外れた場合に、吊りワイヤ１３と吸い込みグリル１０とが大きく離れないようにする部材を備える。即ち、吸い込みグリル１０（吸い込みグリル１０と固定されている部材）は落下防止ワイヤ３０を介して吊りワイヤ１３に支持されるようにする。
【００３０】
また、紐状の落下防止ワイヤ３０でなくても、一端が吸い込みグリル１０と接続され吊りワイヤ１３をまたいで他端も吸い込みグリル１０と接続される形状であればよい。
【００３１】
図１０，図１１を参照して、ガイド支持部２２が吸い込みグリル１０より外れた場合を例に落下防止ワイヤ３０が取り付けられている場合を説明する。吸い込みグリル１０よりガイド２０またはガイド支持部２２が外れた場合に、落下防止ワイヤ３０が吊りワイヤ１３に引っ掛かり、吊りワイヤ１３が落下防止ワイヤ３０を介して台座３１（吸い込みグリル１０）と支持され、吸い込みグリル１０の落下を防止することができる。
【００３２】
１本の吊りワイヤ１３につき落下防止ワイヤ３０を１つ設ければ吸い込みグリル１０の落下を防止できる。しかし、吸い込みグリル１０の支持箇所である四隅に設ければ（１本の吊りワイヤ１３につき落下防止ワイヤ３０を２つ）どの部分で吊りワイヤ１３が外れてもガイド２０等の上部で落下防止ワイヤ３０が吊りワイヤ１３を支持する。
【００３３】
これによれば、図１１に示されるような異常な状態となった場合のギャップ３２ｂが、正常な状態のギャップ３２ａと比べてそれほど変わらない。つまり、吸い込みグリル１０が大きく傾かない。吸い込みグリル１０の昇降時は、時々刻々と吸い込みグリル１０の高さ（吊りワイヤ１３の長さ）が変化する。そのため、吸い込みグリル１０のどの昇降位置においても吸い込みグリル１０の角部のうち、吊りワイヤ１３が外れた角部と外れていない角部とがほぼ同じ高さを保つには、正常時のガイド２０又はガイド支持部２２による支持機能を、異常時には落下防止ワイヤ３０で代替させるように構成する。これによれば、正常な状態の吊りワイヤ１３の支持位置及び支持箇所の数を保持することができ、吸い込みグリル１０が大きく傾かない。そのため前記したように他のガイド２０等に衝撃がかかることがない。
【００３４】
吸い込みグリル１０は取り外しされず、降下させて作業者の頭上で汚れをふき取るだけの場合もある。その場合は吸い込みグリル１０を下から見るため、吊りワイヤ１３が外れている部分を見ることがない。そのため、吸い込みグリル１０は水平位置から傾かないことがよいが、仮に少し傾いた場合でも、作業者に異常を目視で認識させることができる。
【００３５】
なお、吸い込みグリル１０の落下原因は、吊りワイヤ１３が切れることよりも、吊りワイヤ１３がガイド２０から外れたり、ガイド支持部２２自体が外れる場合がほとんどである。
【実施例２】
【００３６】
図１２は、他の実施例のガイド支持部が外れた場合の部分断面図である。本実施例では台座３１を省略し、吸い込みグリル１０に開口部１０１，１０２を設けて、吸い込みグリル１０とガイド支持部２２とを着脱可能としている。この場合、図のように落下防止ワイヤ３０を直接吸い込みグリル１０に固定するものでもよく、吸い込みグリル１０に固定された別部材や吸い込みグリル１０と一体となった突起部材に落下防止ワイヤ３０を貫通又は固定して取り付けてもよい。また、吸い込みグリル１０の開口部１０２が吸い込みグリル１０の下面まで貫通していてもよい。
【００３７】
以上は空気調和機の例を説明したが、筺体の下部にワイヤを用いて昇降可能なグリルを備えるものであればよく、例えば熱交換器のない送風装置でも適用できる。また、ユニット本体２は天井裏に埋設されるものだけでなく、天井面から吊下げられるものであってもよい。
【符号の説明】
【００３８】
１  天井
２  ユニット本体
３  熱交換器
４  ドレンパン
５  送風機
６  ファンモータ
７  化粧パネル
８  吸い込み口
９  吹き出し口
１０  吸い込みグリル
１１  フィルタ
１２  回転ドラム
１３  吊りワイヤ
２０（２０ａ〜２０ｄ）  ガイド
２１  モータ
２２（２２ａ〜２２ｄ）  ガイド支持部
２３  マイクロスイッチ
３０  落下防止ワイヤ（落下防止部材）
３１  台座
３２ａ，３２ｂ  ギャップ
３３  着脱部
１０１，１０２  開口部
【図１】
0005422576.tif 000002
【図２】
0005422576.tif 000003
【図３】
0005422576.tif 000004
【図４】
0005422576.tif 000005
【図５】
0005422576.tif 000006
【図６】
0005422576.tif 000007
【図７】
0005422576.tif 000008
【図８】
0005422576.tif 000009
【図９】
0005422576.tif 000010
【図１０】
0005422576.tif 000011
【図１１】
0005422576.tif 000012
【図１２】
0005422576.tif 000013